(57)【要約】【課題】液晶の応答速度の遅れを正確に補償する。【解決手段】画素回路は、表示部と液晶の配向状態を示す計測信号を出力する計測部とを備える。計測信号はＡＤ変換回路Ｕ３および逆ガンマ回路Ｕ４を経て出力階調データＤoutとなる。補正回路Ｕ１は、入力階調データＤｉｎ’と出力階調データＤoutとを比較し、比較結果に基づいて誤差データが零となるように補正済データを生成する。ＡＤ変換回路は補正済データにガンマ補正を施しつつ、データ信号を生成し、これを画素回路に書き込む。【選択図】図８
2009271306.tif 000002
【特許請求の範囲】
【請求項１】
複数の走査線と、複数のデータ線および複数の信号線と、前記走査線と前記データ線の交差に対応して設けられた複数の画素とを備えた液晶表示装置であって、
前記複数の画素の各々は、
第１電極と、第２電極と、液晶とを有する表示部と、
前記液晶の配向状態を示す計測信号を出力する計測部とを備え、
前記計測信号に基づいて、前記画素で表示している階調を示す出力階調信号を生成する出力階調信号生成手段と、
表示すべき階調を示す入力階調信号と前記出力階調信号とを比較して誤差信号を生成する比較手段と、
前記誤差信号が零に近づくように前記入力階調信号に基づいてデータ信号を生成する演算手段と、
前記データ信号を前記データ線を介して前記画素に書き込む書込手段とを、
備える液晶表示装置。
【請求項２】
前記計測部は、前記液晶を誘電体とする容量を含み、前記液晶の配向状態を前記容量の値に応じた大きさの前記計測信号として出力することを特徴とする液晶表示装置。
【請求項３】
前記計測部は、前記容量の値に応じた大きさの信号をハイインピーダンスからローインピーダンスに変換して前記計測信号として出力するトランジスタを備えることを特徴とする液晶表示装置。
【請求項４】
前記演算手段または前記書込手段のいずれか一方に、ガンマ補正を施すガンマ補正部を備え、
前記出力階調生成手段は、前記計測信号に前記ガンマ補正の逆特性を付与する逆ガンマ補正を施す、
ことを特徴とする請求項１乃至３のうちいずれか1項に記載の液晶表示装置。
【請求項５】
前記第１電極と前記第２電極とは対向しており、前記液晶の分子は前記第１電極および前記第２電極に対して垂直に配向しており、
前記演算手段は、
前記誤差信号にゲイン係数を乗じた大きさの重畳信号を生成する第１演算部と、
前記重畳信号を前記入力階調信号に重畳して前記データ信号を生成する第２演算部とを備え、
前記第１演算部は、前記入力階調信号の示す階調が中間調である場合、前記入力階調信号の示す階調が最小または最大である場合と比較して前記ゲイン係数は小さい、
ことを特徴とする請求項１乃至３のうちいずれか1項に記載の液晶表示装置。
【請求項６】
前記液晶は、水平配向型液晶またはＴＮ型液晶であり、
前記演算手段は、
前記誤差信号にゲイン係数を乗じた大きさの重畳信号を生成する第１演算部と、
前記重畳信号を前記入力階調信号に重畳して前記データ信号を生成する第２演算部とを備え、
前記第１演算部は、前記入力階調信号の示す階調が中間調である場合、前記入力階調信号の示す階調が最小または最大である場合と比較して前記ゲイン係数が大きい、
ことを特徴とする請求項１乃至３のうちいずれか1項に記載の液晶表示装置。
【請求項７】
前記計測部は、対象物が画面に接触したことを前記液晶の容量の変化によって検出するセンシング回路であることを特徴とする請求項１乃至６のうちいずれか1項に記載の液晶表示装置。
【請求項８】
請求項１乃至７のうちいずれか1項に記載の液晶表示装置を備えたことを特徴とする電子機器。
【請求項９】
複数の走査線と、複数のデータ線および複数の信号線と、前記走査線と前記データ線の交差に対応して設けられた複数の画素とを備え、前記複数の画素の各々は、第１電極と、第２電極と、液晶とを有する表示部と、前記液晶の配向状態を示す計測信号を出力する計測部とを有する液晶表示装置の駆動方法であって、
前記計測信号に基づいて、前記画素で表示している階調を示す出力階調信号を生成し、表示すべき階調を示す入力階調信号と前記出力階調信号とを比較して誤差信号を生成し、
前記誤差信号が零に近づくように前記入力階調信号に基づいてデータ信号を生成し、
前記データ信号を前記データ線を介して前記画素に書き込む、
ことを特徴とする液晶表示装置の駆動方法。
【請求項１０】
前記計測信号は、前記計測部にて、ハイインピーダンスからローインピーダンスに変換された後、前記画素から読み出されることを特徴とする請求項９に記載の液晶表示装置の駆動方法。
【発明の詳細な説明】
【技術分野】
【０００１】
本発明は、液晶表示装置、その駆動方法および電子機器に関する。
【背景技術】
【０００２】
液晶表示装置では、液晶の透過率が印加電圧に応じて変化することを利用して、階調表示を行っている。ところが、実際の液晶では、電圧印加されてから液晶分子の配向状態が変化して透過率が変化するまでの応答に時間がかる。そこで、フレームメモリを用いて１フレーム前の画像データを記憶しておき、現在と過去のフレーム間で画像データの差分を演算し、その差分に応じた大きさの電圧を通常の電圧に加算して、これを液晶に印加する技術が知られている（特許文献１参照）。この技術はオーバードライブと呼ばれ、液晶の応答速度の遅れを補償するように印加電圧を制御する。
【特許文献１】特開２００６-１７８０４号公報
【発明の開示】
【発明が解決しようとする課題】
【０００３】
しかしながら、従来のオーバードライブ技術は、差分の画像データの大きさに基づいてオーバードライブ量を決定するフィードフォワード制御であった。このため、例えば、環境の温度や時間の経過などによって、液晶の特性が変化すると、液晶の応答速度の遅れを正確に補償することができないといった問題があった。
本発明は上述した事情に鑑みてなされたものであり、液晶の応答速度の遅れを正確に補償することが可能な液晶表示装置を提供することなどを解決課題としている。
【課題を解決するための手段】
【０００４】
この課題を解決するために、本発明に係る液晶表示装置は、複数の走査線と、複数のデータ線および複数の信号線と、前記走査線と前記データ線の交差に対応して設けられた複数の画素とを備えたものであって、前記複数の画素の各々は、第１電極と、第２電極と、液晶とを有する表示部と、前記液晶の配向状態を示す計測信号を出力する計測部とを備え、前記計測信号に基づいて、前記画素で表示している階調を示す出力階調信号を生成する出力階調信号生成手段と、表示すべき階調を示す入力階調信号と前記出力階調信号とを比較して誤差信号を生成する比較手段（例えば、図８に示すＡＤ変換回路Ｕ３および逆ガンマ回路Ｕ４）と、前記誤差信号が零に近づくように前記入力階調信号に基づいてデータ信号を生成する演算手段（例えば、図８に示す補正回路Ｕ１）と、前記データ信号を前記データ線を介して前記画素に書き込む書込手段（例えば、図８に示すＤＡ変換回路Ｕ２）とを備える。
この発明によれば、液晶の配向状態を直接計測し、その計測結果を画素に書き込むべき信号であるデータ信号に反映させている。従って、フィードバック制御によって液晶の応答速度の遅れを改善することができる。このため、環境の温度や時間の経過などによって、液晶の特性が変化しても液晶の応答速度の遅れをより正確に補償することができる。
【０００５】
計測部の具体的な態様として、前記計測部は、前記液晶を誘電体とする容量を含み、前記液晶の配向状態を前記容量の値に応じた大きさの前記計測信号として出力することが好ましい。誘電体の誘電率は、液晶分子の配向状態によって変化し、誘電率の変化は容量の大きさとして計測される。したがって、容量の大きさを計測することによって、液晶の配向状態が計測される。
【０００６】
また、計測部の具体的な態様として、前記計測部は、前記容量の値に応じた大きさの信号をハイインピーダンスからローインピーダンスに変換して前記計測信号として出力するトランジスタ（例えば、図２に示す増幅トランジスタ４１）を備えることが好ましい。この場合には、画素の外部に計測信号を取り出すに際してインピーダンス変換をして出力するので、計測信号のＳＮ比を向上させることができる。
【０００７】
また、液晶表示装置は、前記演算手段または前記書込手段のいずれか一方に、ガンマ補正を施すガンマ補正部を備え、前記出力階調生成手段は、前記計測信号に前記ガンマ補正の逆特性を付与する逆ガンマ補正を施すことが好ましい。ガンマ補正とは、表示すべき階調と、それが実際に出力される際の信号の相対関係を人の視覚特性を考慮して調節して、より自然に近い表示を得るための処理の意味である。この発明によれば、逆ガンマ補正を施して、出力階調信号を生成するので、ガンマ補正が施される前の入力階調信号と比較することができる。
【０００８】
上述した液晶表示装置において、前記第１電極と前記第２電極とは対向しており、前記液晶の分子は前記第１電極および前記第２電極に対して垂直に配向している場合には、前記演算手段は、前記誤差信号にゲイン係数を乗じた大きさの重畳信号を生成する第１演算部と、前記重畳信号を前記入力階調信号に重畳して前記データ信号を生成する第２演算部とを備え、前記第１演算部は、前記入力階調信号の示す階調が中間調である場合、前記入力階調信号の示す階調が最小または最大である場合と比較して前記ゲイン係数は小さいことが好ましい。
垂直配向型液晶では、中間調の応答速度が、最小階調または最大階調と比較して高速であることからループゲインを小さくし、逆に応答速度が低速である最小階調または最大階調ではループゲインを大きくすることによって、誤差信号の大きさを小さくしている。
【０００９】
上述した液晶表示装置において、前記液晶は、水平配向型液晶またはＴＮ型液晶であり、前記演算手段は、前記誤差信号にゲイン係数を乗じた大きさの重畳信号を生成する第１演算部と、前記重畳信号を前記入力階調信号に重畳して前記データ信号を生成する第２演算部とを備え、前記第１演算部は、前記入力階調信号の示す階調が中間調である場合、前記入力階調信号の示す階調が最小または最大である場合と比較して前記ゲイン係数が大きいことが好ましい。
水平配向型液晶またはＴＮ型液晶では、中間調の応答速度が、最小階調または最大階調と比較して低速であることからループゲインを大きくし、逆に応答速度が高速である最小階調または最大階調ではループゲインを小さくすることによって、誤差信号の大きさを小さくしている。
【００１０】
ここで、前記計測部は、対象物が画面に接触したことを前記液晶の容量の変化によって検出するセンシング回路であることが好ましい。この場合には、接触のセンシング回路と配向状態を計測する手段とを兼用することができるので、新たな構成を追加することなく、表示品質を向上することができる。
【００１１】
次に、本発明に係る電子機器は、上述した液晶表示装置のいずれかを備え、パーソナルコンピュータ、携帯電話機、あるいは情報端末などが該当する。
【００１２】
さらに、本発明は、液晶表示装置の駆動方法として以下のように把握される。
即ち、複数の走査線と、複数のデータ線および複数の信号線と、前記走査線と前記データ線の交差に対応して設けられた複数の画素とを備え、前記複数の画素の各々は、第１電極と、第２電極と、液晶とを有する表示部と、前記液晶の配向状態を示す計測信号を出力する計測部とを有する液晶表示装置を駆動する方法であって、前記計測信号に基づいて、前記画素で表示している階調を示す出力階調信号を生成し、表示すべき階調を示す入力階調信号と前記出力階調信号とを比較して誤差信号を生成し、前記誤差信号が零に近づくように前記入力階調信号に基づいてデータ信号を生成し、前記データ信号を前記データ線を介して前記画素に書き込むことを特徴とする。
この場合、前記計測信号は、前記計測部にて、ハイインピーダンスからローインピーダンスに変換された後、前記画素から読み出されることが好ましい。
【発明を実施するための最良の形態】
【００１３】
＜１．実施形態＞
図１は、本発明の実施形態に係る液晶表示装置の構成を示すブロック図である。液晶表示装置５００は、表示領域Ａを備える。表示領域Ａには、複数の走査線３０と複数のデータ線３１と、これらの交差に対応して複数の画素回路Ｐが配置されている。
図２に画素回路Ｐの構成を示す。この図に示すように画素回路Ｐは、画像の表示を行う表示部Ｐａと液晶の配向状態を計測して計測信号を出力する計測部Ｐｂを備える。
表示部Ｐａは、図２に示すようにトランジスタ３３と、画素電極３４と、共通電位Ｖcomが供給される対向電極３６と、画素電極３４と対向電極３６との間に挟持された液晶３５を備える。トランジスタ３３はＴＦＴ（Thin Film Transistor）で構成され、そのゲートは走査線３０に、ドレインはデータ線３１に、ソースは画素電極３４に接続される。
【００１４】
表示用Ｙドライバ１００Ａは、複数の走査線３０を順次選択するための走査信号を生成して、各画素回路Ｐに各々供給する。走査信号は、１垂直走査期間（１Ｆ）の最初のタイミングから、１水平走査期間（１Ｈ）に相当する幅のパルスであって、１行目の走査線３０に供給される。以降、このパルスを順次シフトして、各走査線３０の各々に走査信号として供給する。一方、Ｘドライバ２００は、選択された走査線３０に位置する画素回路Ｐの各々に対し表示すべき階調に応じた大きさのデータ信号を供給する。
【００１５】
次に、計測部Ｐｂは、静電容量の変化を検出し、Ｘドライバ２００によって駆動される。計測部Ｐｂは、増幅トランジスタ４１、リセットトランジスタ４２、および選択トランジスタ４３を備える。これらのトランジスタは、上述した画素回路Ｐのトランジスタ３３と同様にＴＦＴで構成され、同じプロセスで形成される。
リセットトランジスタ４２のゲートには、第１制御線１０を介してリセット信号ＲＥＳが供給される。リセットトランジスタ４２のドレインは電源線２０に接続され、そのソースは増幅トランジスタ４１のゲートと接続される。電源線２０には電圧ＶＲＨが供給される。
【００１６】
増幅トランジスタ４１のドレインは電源線２０に接続され、そのソースは選択トランジスタ４３のドレインに接続される。選択トランジスタ４３のソースは検出線２１に接続され、そのゲートには第２制御線１１を介して選択信号ＳＥＬが供給される。また、増幅トランジスタ４１のゲートと第１制御線１０との間には、基準容量素子４４が設けられている。さらに、静電容量検出素子４５の一方の端子は、増幅トランジスタ４１のゲートに接続され、その他方の端子には固定電位Ｖｘが供給される。計測部Ｐｂは表示部Ｐａに近接して設けられているので、表示部Ｐａにおける液晶３５の配向状態が表示すべき階調に応じて変化すると、静電容量検出素子４５における液晶３５の配向状態もその影響を受けて変化する。したがって、静電容量検出素子４５の容量を計測することによって、表示に寄与する液晶３５の配向状態を計測することができる。なお、固定電位Ｖｘは共通電位Ｖcomと異なる電位であってもよいし、一致してもよい。また、基準容量素子４４はリセットトランジスタ４２のゲート・ソース間に発生する寄生容量で代用してもよく、積極的に素子を形成しなくてもよい。
【００１７】
ここで、増幅トランジスタ４１はインピーダンス変換する機能を有する。すなわち、増幅トランジスタ４１のゲートは、入力インピーダンスがハイインピーダンスであり、増幅トランジスタ４１のソースは、出力インピーダンスがローインピーダンスである。よって、増幅トランジスタ４１はインピーダンスを変換する機能を有する。仮に、インピーダンスを変換しないで出力すると、容量の変化に応じた小さな電荷が画素回路Ｐから計測信号として出力される。これに対して、本実施例では、増幅トランジスタ４１からは、そのゲート電位に応じた大きさの定電流が出力される。したがって、計測信号のＳＮ比を向上させることができる。
【００１８】
次に、計測部Ｐｂの動作を図３〜図６を参照して説明する。計測部Ｐｂは、リセット期間Ｔres、センシング期間Ｔsen、および読出期間Ｔoutを一単位として動作する。なお、リセット信号ＲＥＳおよび選択信号ＳＥＬは、計測用Ｙドライバ１００Ｂによって生成される。
まず、リセット期間Ｔresにおいて、リセット信号ＲＥＳのレベルはＶＤとなり、リセットトランジスタ４１がオン状態となる。このとき、選択信号ＳＥＬはローレベルであり選択トランジスタ４３はオフ状態となる。すると、図４に示すように増幅トランジスタ４１のゲートの電位が電源電位ＶＲＨにリセットされる。
【００１９】
次に、リセット期間Ｔresに続くセンシング期間Ｔsenでは、リセット信号ＲＥＳのレベルがＶＤからＧＮＤ（＝０Ｖ）に変化する。すると、図５に示すようにリセットトランジスタ４２がオフ状態となる。第１制御線１０は基準容量素子４４の一方の電極と接続されているので、基準容量素子４４はカップリング容量として機能し、リセット信号ＲＥＳのレベルが変化すると増幅トランジスタ４１のゲート電位が変化する。
【００２０】
ここで、基準容量素子４４の容量値をＣｒ、静電容量検出素子４５の容量値をＣｓ、第１制御線１０の電位変化をΔＶgate（＝ＶＤ）とすれば、増幅トランジスタ４１のゲート電位の変化分ΔＶは、以下に示す式（１）で与えられる。但し、寄生容量は無視する。
ΔＶ＝ΔＶgate*Ｃｒ／（Ｃｒ＋Ｃｓ）……（１）
式（１）から、静電容量検出素子４５の容量値Ｃｓが大きければ容量カップリングによる変化分ΔＶは小さく、逆に容量値Ｃｓが小さければ変化分ΔＶは大きい。したがって、静電容量検出素子４５の容量変化をゲート電位に反映させることができる。
【００２１】
次に、読出期間Ｔoutでは、選択信号ＳＥＬがローレベルからハイレベルに変化する。すると、図６に示すように選択トランジスタ４３がオン状態となる。これによって、増幅トランジスタ４１のゲート電位に応じた計測信号Ｉdetが検出線２１に流れる。
ところで、読出期間Ｔoutにおいて、選択トランジスタ４３を確実にオン状態とするためには、読出期間Ｔoutに先立って、検出線２１の電位をプリチャージ電位Ｖpreにプリチャージすることが好ましい。この例では、図３に示すように、リセット期間Ｔresおよびセンシング期間Ｔsenをプリチャージ期間Ｔpreとし、当該期間において検出線２１にプリチャージ電位Ｖpreを供給している。
【００２２】
次に、図７はＸドライバ２００の構成を示すブロック図である。この図に示すように、Ｘドライバ２００は、シフトレジスタ２１０と、線順次変換回路２２０、及び駆動回路２３０を備える。シフトレジスタ２１０は、Ｘクロック信号ＸＣＫに同期してＸスタート信号ＸＳＰを順次シフトして、排他的に有効となるシフト信号Ｓ１〜Ｓｍを生成する。
線順次変換回路２２０は、ｍ個の単位メモリＭを備え、これを用いて、点順次の入力階調データＤｉｎを線順次の画像データに変換する。さらに、駆動回路２３０は、ｍ個の単位回路Ｕを備え、これを用いて、液晶３５の応答速度の遅れを補償したデータ信号を生成する。
【００２３】
図８に単位メモリＭと単位回路Ｕの詳細な構成を示す。この例は、ｋを１からｍまでの任意の自然数としたとき、単位メモリＭと単位回路Ｕは左からｋ番目に位置するものである。単位メモリＭは、第１メモリＭ１および第２メモリＭ２を備える。第１メモリＭ１には、入力階調データＤｉｎが供給され、シフト信号Ｓｋが有効になったタイミングで入力階調データＤｉｎが取り込まれる。
また、第２メモリＭ２は、１Ｈ周期のラッチ信号ＬＡＴが有効になると第１メモリＭ１の出力データを取り込む。ここで、ラッチ信号ＬＡＴは、他の単位メモリＭにも共通して供給される。したがって、ラッチ信号ＬＡＴによって規定されるタイミングで、入力階調データＤｉｎが線順次のデータに変換される。
【００２４】
次に、単位回路Ｕは、補正回路Ｕ１、ＤＡ変換回路Ｕ２、ＡＤ変換回路Ｕ３、および逆ガンマ回路Ｕ４を備える。補正回路Ｕ１は、第２メモリＭ２から供給される入力階調データＤｉｎ’に補正を施して駆動データを生成する。ＤＡ変換回路Ｕ２は、駆動データをデジタル信号からアナログ信号に変換してデータ信号を生成する。この際、ＤＡ変換回路Ｕ２はガンマ補正を施す。ＤＡ変換回路Ｕ２は、液晶の特性を考慮したガンマ補正を実行する機能と、データ信号をデータ線３１を介して画素回路Ｐに書き込む機能を有する。
ＡＤ変換回路Ｕ３は、液晶の配向状態を示す計測信号Ｉdetをアナログ信号からデジタル信号に変換する。逆ガンマ回路Ｕ４は、ＤＡ変換回路Ｕ２のガンマ補正と逆の特性を与える逆ガンマ補正を実行する。このようにして逆ガンマ回路Ｕ４は、液晶の配向状態、すなわち、実際の表示階調を示す出力階調データＤoutが出力される。
【００２５】
図９に補正回路Ｕ１の詳細な構成を示す。補正回路Ｕ１は、減算回路２３１、乗算回路２３２、加算回路２３３を備える。減算回路２３１は、入力階調データＤｉｎ’と出力階調データＤoutとの差分を演算して誤差データＱを生成する。乗算回路２３２は誤差データＱに係数Ｚを乗算する。加算回路２３３は乗算結果と入力階調データＤｉｎ’とを加算して補正済データを生成する。
出力階調データＤoutは減算回路２３１にフィードバックされる。減算回路２３１は、フィードバック制御の目標となる入力階調データＤｉｎ’と出力階調データＤoutを比較して誤差データＱを生成する比較手段として機能する。また、乗算回路２３２はループゲインを与える手段として機能し、乗算回路２３２および加算回路２３３は、誤差データＱが零に近づくように入力階調データＤｉｎ’に基づいて補正済データを生成する手段として機能する。
【００２６】
従来のオーバードライブでは、フレームメモリに記憶した１フレーム前の画像データと現在の画像データとの差分を演算し、液晶の応答速度を推定して差分に応じたオーバードライブ量を決定していた。これに対して、本実施形態では、１フレーム前の画像データが、液晶の配向状態を計測することによって得た出力階調データＤoutであるから、制御の結果である液晶の配向状態をオーバードライブ量に反映させることがきる。このフィードバック制御によって液晶の応答速度の遅れを改善することができる。このため、環境の温度や時間の経過などによって、液晶の特性が変化しても液晶の応答速度の遅れをより正確に補償することが可能となる。
【００２７】
＜２．変形例＞
本発明は、上述した実施形態に限定されるものではなく、例えば、以下に示す変形が可能である。
（１）上述した実施形態では、液晶の配向状態を計測する計測部Ｐｂを画素回路Ｐに設けたが、この計測部Ｐｂを対象物が画面に接触したことを検出するセンシング回路と兼用としてもよい。ここで、静電容量検出素子４５による静電容量の変化を図１０を参照して説明する。静電容量検出素子４５は図１０に示すように第１電極４５ａと第２電極４５ｂとの間に液晶３５を挟持して構成される。人の指が触れない状態では、同図（Ａ）に示すように第１電極４５ａと第２電極４５ｂとが平行であるが、指で液晶表示装置５００を押すと、第２電極４５ｂが撓み、第１電極４５ａと第２電極４５ｂの距離が短くなる。このため、人が指で液晶表示装置５００を押すと、静電容量検出素子４５の容量値Ｃｓが大きくなる。このようにして、静電容量の変化が検出される。また、この例の基準容量素子４４は一方の電極として半導体層４７を用い、他方の電極としてゲート配線４８を用い、それらの間にゲート酸化膜４９を挟持して構成される。なお、半導体層４７、ゲート配線４８、およびゲート酸化膜４９は、他のトランジスタ４１や４２と同一のプロセスによって形成される。したがって、基準容量素子４４を形成するために特別なプロセスは不要であり、製造コストを削減することができる。
【００２８】
（２）上述した実施形態では、オーバードライブ量は固定の係数Ｚによって規定されていたが、これを入力階調データＤｉｎ’によって変更してもよい。具体的には、補正回路Ｕ１の替わりに図１１に示す補正回路Ｕ１’を用いる。補正回路Ｕ１’は、係数テーブル２３４を備える。係数テーブル２３４には、表示すべき階調とオーバードライブ量を規定する係数Ｗとが対応付けられて記憶されており、入力階調データＤｉｎ’が供給されると、その階調に応じた大きさの係数Ｗが読み出される。
液晶の応答速度は、表示すべき階調と液晶の配向によって異なる。例えば、垂直配向型液晶では、中間調の応答速度が、最小階調または最大階調と比較して高速である。一方、水平配向型液晶またはＴＮ型液晶では、中間調の応答速度が、最小階調または最大階調と比較して低速である、液晶の応答速度が低速の場合には、オーバードライブ量を大きくすることによって誤差データＱをより一層、零に近づけることが可能となる。
そこで、垂直配向型液晶を採用する場合には、係数テーブル２３４に、表示すべき階調が中間調である場合の係数ＷをＷｃ、表示すべき階調が最小である場合の係数ＷをＷmin、表示すべき階調が最大である場合の係数ＷをＷmaxとしたとき、図１２（Ａ）に示すように、Ｗｃ＜Ｗmin、Ｗｃ＜Ｗmaxとなるようにする。一方、水平配向型液晶またはＴＮ型液晶では、図１２（Ｂ）に示すように、Ｗｃ＞Ｗmin、Ｗｃ＞Ｗmaxとなるようにする。
【００２９】
（３）上述した実施形態では、ＤＡ変換回路Ｕ２においてガンマ補正を施していたが、これを補正回路Ｕ１において施してもよい。また、入力階調データＤｉｎが既にガンマ補正が施されている場合には、補正回路Ｕ１やＤＡ変換回路Ｕ２においてガン補正を実行する必要はない。くわえて、逆ガンマ回路Ｕ４は省略してもよい。
【００３０】
＜３．応用例＞
次に、本発明に係る液晶表示装置を利用した電子機器について説明する。図１３は、液晶表示装置５００を表示部として採用したモバイル型のパーソナルコンピュータの構成を示す斜視図である。パーソナルコンピュータ２０００は、表示部としての液晶表示装置５００と本体部２０１０とを備える。本体部２０１０には、電源スイッチ２００１およびキーボード２００２が設けられている。
図１４に、実施形態に係る液晶表示装置５００を適用した携帯電話機の構成を示す。携帯電話機３０００は、複数の操作ボタン３００１およびスクロールボタン３００２、ならびに表示部としての液晶表示装置５００を備える。スクロールボタン３００２を操作することによって、液晶表示装置５００に表示される画面がスクロールされる。
図１５に、実施形態に係る液晶表示装置５００を適用した携帯情報端末（ＰＤＡ：Personal Digital Assistants）の構成を示す。情報携帯端末４０００は、複数の操作ボタン４００１および電源スイッチ４００２、ならびに表示部としての液晶表示装置５００を備える。
なお、本発明に係る電気光学装置が適用される電子機器としては、図１３から図１５に示したもののほか、デジタルスチルカメラ、テレビ、ビデオカメラ、カーナビゲーション装置、電子手帳、電子ペーパー、電卓、ワードプロセッサ、ワークステーション、テレビ電話、スキャナ、複写機、ビデオプレーヤ、タッチパネルを備えた機器等などが挙げられる。
【図面の簡単な説明】
【００３１】
【図１】本発明の実施形態に係る液晶表示装置の構成を示すブロック図である。
【図２】画素回路の構成を示す回路図である。
【図３】計測部の動作を示すタイミングチャートである。
【図４】リセット期間における計測部の動作を示す説明図である。
【図５】センシング期間における計測部の動作を示す説明図である。
【図６】読出期間における計測部の動作を示す説明図である。
【図７】Ｘドライバの構成を示すブロック図である。
【図８】単位メモリおよび単位回路の詳細構成を示すブロック図である。
【図９】補正回路の構成を示すブロック図である。
【図１０】静電容量検出素子における静電容量の変化を示す説明図である。
【図１１】変形例に係る補正回路の構成を示すブロック図である。
【図１２】係数テーブルに格納される係数と表示すべき階調の関係の一例を示す説明図である。
【図１３】本発明に係る電子機器の具体的な形態を示す斜視図である。
【図１４】本発明に係る電子機器の具体的な形態を示す斜視図である。
【図１５】本発明に係る電子機器の具体的な形態を示す斜視図である。
【符号の説明】
【００３２】
５００……液晶表示装置、Ａ……表示領域、Ｐ……画素回路、Ｐａ……表示部、Ｐｂ……計測部、４１……増幅トランジスタ、４４……基準容量素子、４５……静電容量検出素子、２００……Ｘドライバ、２３０……駆動回路、Ｕ１……補正回路、Ｕ２……ＤＡ変換回路、Ｕ３……ＡＤ変換回路、Ｕ４……逆ガンマ回路、Ｄｉｎ’……入力階調データ、Ｄout……出力階調データ。
【図１】
2009271306.tif 000003
【図２】
2009271306.tif 000004
【図３】
2009271306.tif 000005
【図４】
2009271306.tif 000006
【図５】
2009271306.tif 000007
【図６】
2009271306.tif 000008
【図７】
2009271306.tif 000009
【図８】
2009271306.tif 000010
【図９】
2009271306.tif 000011
【図１０】
2009271306.tif 000012
【図１１】
2009271306.tif 000013
【図１２】
2009271306.tif 000014
【図１３】
2009271306.tif 000015
【図１４】
2009271306.tif 000016
【図１５】
2009271306.tif 000017